(57)【特許請求の範囲】
【請求項１】
第１の機器に依存する色値を第２の機器に依存する色値に変換するための色変換係数群における、特定色を保存する条件である保存条件を取得する保存条件取得手段と、
前記第１の機器の色再現特性を取得する第１の色再現特性取得手段と、
前記保存条件取得手段により取得された前記保存条件を適用せずに作成された前記色変換係数群に基づき、当該第１の機器の色再現特性を前記第２の機器が模擬して得られた色再現特性である模擬色再現特性を取得する第２の色再現特性取得手段と、
前記第１の色再現特性取得手段により取得された前記第１の機器の色再現特性と前記第２の色再現特性取得手段により取得された前記模擬色再現特性との差分情報に基づき、前記色変換係数群の再作成を行うか否かを判定する判定手段と、
前記判定手段が前記再作成を行わないと判定するまで、前記第１の機器の色再現特性の修正を行うとともに前記保存条件取得手段により取得された前記保存条件を適用せずに前記色変換係数群を再作成する再作成手段と、
前記判定手段が前記再作成を行わないと判定したときに、前記保存条件取得手段により取得された前記保存条件に基づき、前記色変換係数群における前記特定色の色値を予め定められた値に置換する処理を、前記第１の機器の色再現特性の修正を伴わずに行う置換手段と
を備えたことを特徴とする色変換装置。
【請求項２】
前記第１の色再現特性取得手段と前記第２の機器の色再現特性を取得する第３の色再現特性取得手段は、それぞれ前記色再現特性として、機器への入力色値と当該入力色値に応じた当該機器からの出力色を表す機器非依存の色空間における色値との対応関係を取得し、
前記判定手段は、前記第１の機器の色再現特性と前記模擬色再現特性との前記機器非依存の色空間における色値に関する差分情報に基づき、前記色変換係数群の再作成を行うか否かを判定することを特徴とする請求項１に記載の色変換装置。
【請求項３】
前記第２の色再現特性取得手段は、
前記第２の機器の色再現特性を取得する第３の色再現特性取得手段と、
前記第１の色再現特性取得手段により取得された前記第１の機器の色再現特性と前記第３の色再現特性取得手段により取得された前記第２の機器の色再現特性とに基づき、前記保存条件取得手段により取得された前記保存条件を適用せずに前記色変換係数群を作成する作成手段と、
前記作成手段により作成された前記色変換係数群に基づき、前記模擬色再現特性を取得する模擬色再現特性取得手段と
を備えたことを特徴とする請求項１又は２に記載の色変換装置。
【請求項４】
第１の機器に依存する色値を第２の機器に依存する色値に変換するための色変換係数群における、特定色を保存する条件である保存条件を取得する保存条件取得手段と、
前記第１の機器の色再現特性を取得する第１の色再現特性取得手段と、
前記保存条件取得手段により取得された前記保存条件を適用せずに作成された前記色変換係数群に基づき、当該第１の機器の色再現特性を前記第２の機器が模擬して得られた色再現特性である模擬色再現特性を取得する第２の色再現特性取得手段と、
前記第１の色再現特性取得手段により取得された前記第１の機器の色再現特性と前記第２の色再現特性取得手段により取得された前記模擬色再現特性との差分情報に基づき、前記色変換係数群の再作成を行うか否かを判定する判定手段と、
前記判定手段が前記再作成を行わないと判定するまで、前記保存条件取得手段により取得された前記保存条件を適用せずに前記色変換係数群を再作成する再作成手段と、
前記判定手段が前記再作成を行わないと判定したときに、前記保存条件取得手段により取得された前記保存条件に基づき、前記色変換係数群における前記特定色の色値を予め定められた値に置換する置換手段と
を備え、
前記第２の色再現特性取得手段は、
予め前記保存条件を適用して作成された前記色変換係数群と、当該色変換係数群を作成する際に用いられた情報である作成情報とを取得する係数群情報取得手段と、
前記保存条件取得手段が取得した前記保存条件と前記係数群情報取得手段が取得した前記作成情報とに基づき、前記係数群情報取得手段が取得した前記色変換係数群における当該保存条件の対象となる特定色の色値を、当該保存条件が適用される前の色値に復元する復元処理を行う復元手段と、
前記復元手段が前記復元処理を行うことにより得られた色変換係数群に基づき、前記模擬色再現特性を取得する模擬色再現特性取得手段と
を備えたことを特徴とする色変換装置。
【請求項５】
前記再作成手段が前記色変換係数群を再作成するたびに、前記保存条件を適用せずに再作成された当該色変換係数群と当該色変換係数群を再作成する際に用いられた条件を表す作成情報とを記憶する記憶手段を更に備え、
前記第２の色再現特性取得手段の前記係数群情報取得手段は、前記保存条件を適用せずに再作成され、前記記憶手段に記憶されている前記色変換係数群と当該色変換係数群に対応する前記作成情報とを更に取得することを特徴とする請求項４に記載の色変換装置。
【請求項６】
前記第２の色再現特性取得手段の前記復元手段は、前記保存条件を適用せずに作成され前記係数群情報取得手段が取得した前記色変換係数群を用いるか、又は当該係数群情報取得手段が取得した前記作成情報を用いて当該保存条件を適用せずに前記色変換係数群を再作成することにより、前記復元処理を行うことを特徴とする請求項４又は５に記載の色変換装置。
【請求項７】
前記保存条件取得手段は、前記保存条件として、前記第１の機器に依存する色空間における純色、墨、墨以外の色材の色成分を含む墨１００％の色の少なくとも何れかを保存する条件を取得することを特徴とする請求項１乃至６の何れかに記載の色変換装置。
【請求項８】
コンピュータに、
第１の機器に依存する色値を第２の機器に依存する色値に変換するための色変換係数群における、特定色を保存する条件である保存条件を取得する機能と、
前記第１の機器の色再現特性を取得する機能と、
前記保存条件を適用せずに作成された前記色変換係数群に基づき、当該第１の機器の色再現特性を前記第２の機器が模擬して得られた色再現特性である模擬色再現特性を取得する機能と、
取得された前記第１の機器の色再現特性と前記模擬色再現特性との差分情報に基づき、前記色変換係数群の再作成を行うか否かを判定する機能と、
前記判定する機能が前記再作成を行わないと判定するまで、前記第１の機器の色再現特性の修正を行うとともに前記保存条件を適用せずに前記色変換係数群を再作成する機能と、
前記判定する機能が前記再作成を行わないと判定したときに、前記保存条件に基づき、前記色変換係数群における前記特定色の色値を予め定められた値に置換する処理を、前記第１の機器の色再現特性の修正を伴わずに行う機能と
を実現させることを特徴とする色変換プログラム。
【発明の詳細な説明】
【技術分野】
【０００１】
本発明は、色変換装置及び色変換プログラムに関する。
【背景技術】
【０００２】
特許文献１には、ターゲットである印刷物の色と、プルーファで作成されたプルーフ（校正刷り）の色とを一致させる色補正方法が記載されている。この色補正方法では、印刷されたカラーチャートを測色計により測色して、ＣＭＹＫ画像データを測色値データに変換する印刷プロファイルを作成し、この印刷プロファイルとプリンタプロファイルとを利用して、ＣＭＹＫ画像データによりプリンタからプルーフのカラーチャートを出力し、プルーフでの印刷色再現をシミュレーションする。そして、このカラーチャートを測色して、印刷色再現プロファイルを作成し、この印刷色再現プロファイルにおいて、印刷機とプリンタの色再現範囲を考慮して重みを設定し、修正後の印刷プロファイルを作成し、この修正後の印刷プロファイルとプリンタプロファイルを色変換手段として設定する。
【０００３】
特許文献２には、第１の機器依存色空間における黒を含むｎ色値を第２の機器依存色空間における黒を含むｎ色値に変換するための色変換係数を作成する色変換係数作成装置が記載されている。この色変換係数作成装置は、第１の機器依存色空間のｎ色値を第１の機器依存色空間における単色の階調が調整された第１の調整機器依存色空間のｎ色値に変換するための各色の色変換係数を作成する手段と、第２の機器依存色空間における単色の階調が調整された第２の調整機器依存色空間のｎ色値を第２の機器依存色空間のｎ色値に変換するための各色の色変換係数を作成する手段と、第１の調整機器依存色空間におけるｎ色値を黒の特徴を保存して第２の調整機器依存色空間のｎ色値に変換するｎ次元ルックアップテーブルを作成する手段とを備える。
【先行技術文献】
【特許文献】
【０００４】
【特許文献１】特開２０００−２７８５４７号公報
【特許文献２】特開２００２−１５２５４３号公報
【発明の概要】
【発明が解決しようとする課題】
【０００５】
本発明の目的は、本構成を有していない場合に比較して、第１の機器の色再現特性による印刷を第２の機器で行うための色変換係数群の色再現精度を向上させつつ、その色変換係数群を用いた色変換に際し特定色の値が保存されるようにすることにある。
【課題を解決するための手段】
【０００６】
請求項１に記載の発明は、第１の機器に依存する色値を第２の機器に依存する色値に変換するための色変換係数群における、特定色を保存する条件である保存条件を取得する保存条件取得手段と、前記第１の機器の色再現特性を取得する第１の色再現特性取得手段と、前記保存条件取得手段により取得された前記保存条件を適用せずに作成された前記色変換係数群に基づき、当該第１の機器の色再現特性を前記第２の機器が模擬して得られた色再現特性である模擬色再現特性を取得する第２の色再現特性取得手段と、前記第１の色再現特性取得手段により取得された前記第１の機器の色再現特性と前記第２の色再現特性取得手段により取得された前記模擬色再現特性との差分情報に基づき、前記色変換係数群の再作成を行うか否かを判定する判定手段と、前記判定手段が前記再作成を行わないと判定するまで、前記第１の機器の色再現特性の修正を行うとともに前記保存条件取得手段により取得された前記保存条件を適用せずに前記色変換係数群を再作成する再作成手段と、前記判定手段が前記再作成を行わないと判定したときに、前記保存条件取得手段により取得された前記保存条件に基づき、前記色変換係数群における前記特定色の色値を予め定められた値に置換する処理を、前記第１の機器の色再現特性の修正を伴わずに行う置換手段とを備えたことを特徴とする色変換装置である。
請求項２に記載の発明は、前記第１の色再現特性取得手段と前記第２の機器の色再現特性を取得する第３の色再現特性取得手段は、それぞれ前記色再現特性として、機器への入力色値と当該入力色値に応じた当該機器からの出力色を表す機器非依存の色空間における色値との対応関係を取得し、前記判定手段は、前記第１の機器の色再現特性と前記模擬色再現特性との前記機器非依存の色空間における色値に関する差分情報に基づき、前記色変換係数群の再作成を行うか否かを判定することを特徴とする請求項１に記載の色変換装置である。
請求項３に記載の発明は、前記第２の色再現特性取得手段は、前記第２の機器の色再現特性を取得する第３の色再現特性取得手段と、前記第１の色再現特性取得手段により取得された前記第１の機器の色再現特性と前記第３の色再現特性取得手段により取得された前記第２の機器の色再現特性とに基づき、前記保存条件取得手段により取得された前記保存条件を適用せずに前記色変換係数群を作成する作成手段と、前記作成手段により作成された前記色変換係数群に基づき、前記模擬色再現特性を取得する模擬色再現特性取得手段とを備えたことを特徴とする請求項１又は２に記載の色変換装置である。
請求項４に記載の発明は、第１の機器に依存する色値を第２の機器に依存する色値に変換するための色変換係数群における、特定色を保存する条件である保存条件を取得する保存条件取得手段と、前記第１の機器の色再現特性を取得する第１の色再現特性取得手段と、前記保存条件取得手段により取得された前記保存条件を適用せずに作成された前記色変換係数群に基づき、当該第１の機器の色再現特性を前記第２の機器が模擬して得られた色再現特性である模擬色再現特性を取得する第２の色再現特性取得手段と、前記第１の色再現特性取得手段により取得された前記第１の機器の色再現特性と前記第２の色再現特性取得手段により取得された前記模擬色再現特性との差分情報に基づき、前記色変換係数群の再作成を行うか否かを判定する判定手段と、前記判定手段が前記再作成を行わないと判定するまで、前記保存条件取得手段により取得された前記保存条件を適用せずに前記色変換係数群を再作成する再作成手段と、前記判定手段が前記再作成を行わないと判定したときに、前記保存条件取得手段により取得された前記保存条件に基づき、前記色変換係数群における前記特定色の色値を予め定められた値に置換する置換手段とを備え、前記第２の色再現特性取得手段は、予め前記保存条件を適用して作成された前記色変換係数群と、当該色変換係数群を作成する際に用いられた情報である作成情報とを取得する係数群情報取得手段と、前記保存条件取得手段が取得した前記保存条件と前記係数群情報取得手段が取得した前記作成情報とに基づき、前記係数群情報取得手段が取得した前記色変換係数群における当該保存条件の対象となる特定色の色値を、当該保存条件が適用される前の色値に復元する復元処理を行う復元手段と、前記復元手段が前記復元処理を行うことにより得られた色変換係数群に基づき、前記模擬色再現特性を取得する模擬色再現特性取得手段とを備えたことを特徴とする色変換装置である。
請求項５に記載の発明は、前記再作成手段が前記色変換係数群を再作成するたびに、前記保存条件を適用せずに再作成された当該色変換係数群と当該色変換係数群を再作成する際に用いられた条件を表す作成情報とを記憶する記憶手段を更に備え、前記第２の色再現特性取得手段の前記係数群情報取得手段は、前記保存条件を適用せずに再作成され、前記記憶手段に記憶されている前記色変換係数群と当該色変換係数群に対応する前記作成情報とを更に取得することを特徴とする請求項４に記載の色変換装置である。
請求項６に記載の発明は、前記第２の色再現特性取得手段の前記復元手段は、前記保存条件を適用せずに作成され前記係数群情報取得手段が取得した前記色変換係数群を用いるか、又は当該係数群情報取得手段が取得した前記作成情報を用いて当該保存条件を適用せずに前記色変換係数群を再作成することにより、前記復元処理を行うことを特徴とする請求項４又は５に記載の色変換装置である。
請求項７に記載の発明は、前記保存条件取得手段は、前記保存条件として、前記第１の機器に依存する色空間における純色、墨、墨以外の色材の色成分を含む墨１００％の色の少なくとも何れかを保存する条件を取得することを特徴とする請求項１乃至６の何れかに記載の色変換装置である。
請求項８に記載の発明は、コンピュータに、第１の機器に依存する色値を第２の機器に依存する色値に変換するための色変換係数群における、特定色を保存する条件である保存条件を取得する機能と、前記第１の機器の色再現特性を取得する機能と、前記保存条件を適用せずに作成された前記色変換係数群に基づき、当該第１の機器の色再現特性を前記第２の機器が模擬して得られた色再現特性である模擬色再現特性を取得する機能と、取得された前記第１の機器の色再現特性と前記模擬色再現特性との差分情報に基づき、前記色変換係数群の再作成を行うか否かを判定する機能と、前記判定する機能が前記再作成を行わないと判定するまで、前記第１の機器の色再現特性の修正を行うとともに前記保存条件を適用せずに前記色変換係数群を再作成する機能と、前記判定する機能が前記再作成を行わないと判定したときに、前記保存条件に基づき、前記色変換係数群における前記特定色の色値を予め定められた値に置換する処理を、前記第１の機器の色再現特性の修正を伴わずに行う機能とを実現させることを特徴とする色変換プログラムである。
【発明の効果】
【０００７】
請求項１の発明によれば、色変換係数群を用いた色変換の度に特定色の値を保存する場合に比較して、第１の機器の色再現特性による印刷を第２の機器で行うための色変換係数群の色再現精度を向上させつつ、特定色の値を保存して行う、その色変換係数群を用いた色変換を簡易に行うことができる。
請求項２の発明によれば、本構成を有していない場合に比較して、色変換係数群の色再現精度を更に向上させることができる。
請求項３の発明によれば、第１の機器の色再現特性と第２の機器の色再現特性とに基づき、本構成を有していない場合に比較して色再現精度を向上させつつ、色変換に際し特定色の値を保存する色変換係数群を作成することができる。
請求項４の発明によれば、本構成を有していない場合に比較して、第１の機器の色再現特性による印刷を第２の機器で行うための色変換係数群の色再現精度を向上させつつ、その色変換係数群を用いた色変換に際し特定色の値が保存されるようにして、予め特定色の保存条件を適用して作成された色変換係数群の色再現精度を、特定色の保存を損なわずに向上させることができる。
請求項５の発明によれば、予め特定色の保存条件を適用して作成された色変換係数群について、保存条件が適用される前の色値を、本構成を有していない場合に比較して容易に復元することができる。
請求項６の発明によれば、予め特定色の保存条件を適用して作成された色変換係数群における保存条件が適用される前の色値を取得できない場合であっても、保存条件が適用される前の色値を復元することができる。
請求項７の発明によれば、色変換係数群を用いた色変換における色変換精度を向上させつつ、色変換に際し第１の機器に依存する色空間における純色、墨、墨以外の色材の色成分を含む墨１００％の色の少なくとも何れかの値が保存されるようにすることができる。
請求項８の発明によれば、色変換係数群を用いた色変換の度に特定色の値を保存する場合に比較して、第１の機器の色再現特性による印刷を第２の機器で行うための色変換係数群の色再現精度を向上させつつ、特定色の値を保存して行う、その色変換係数群を用いた色変換を簡易に行うことができる。
【図面の簡単な説明】
【０００８】
【図１】第１の実施形態における色変換装置の機能構成例を示したブロック図である。
【図２】第１の実施形態において色再現特性修正部が印刷機の色再現特性のデータを修正する方法について説明するための図である。
【図３】第１の実施形態における色変換装置の動作例を示したフローチャートである。
【図４】第２の実施形態における色変換装置の機能構成例を示したブロック図である。
【図５】第２の実施形態における色変換装置の動作例を示したフローチャートである。
【図６】本発明の実施の形態を実現可能なコンピュータのハードウェア構成図である。
【発明を実施するための形態】
【０００９】
以下、添付図面を参照して、本発明の実施の形態について詳細に説明する。
カラー印刷業界では、印刷本機で印刷物を作成する前工程で、電子写真プリンタやインクジェットプリンタなどの簡易型のカラープリンタを用いて印刷色をシミュレートした校正刷りを出力し、これにより色校正を実施する、いわゆるカラープルーフシステムが用いられている。一般的に、印刷本機とカラープリンタとでは色再現特性が異なるため、印刷本機で再現できる色をカラープリンタでも再現できるようにするためには、カラープリンタに入力する色信号を補正しておく必要がある。具体的には、印刷本機で出力したカラーチャートの測色データとそれに対応するＣＭＹＫデータの組み合わせからなる印刷プロファイルと、カラープリンタで出力したカラーチャートの測色データとそれに対応するデバイス依存のデータ（例えば、ＣＭＹＫやＲＧＢ）の組み合わせからなるプリンタプロファイルを作成し、色校正に用いる印刷色に依存するＣＭＹＫデータを、印刷プロファイルによりデバイスに依存しない色空間、例えばＸＹＺ色空間やＬ＊ａ＊ｂ＊色空間に変換した後、プリンタプロファイルによりカラープリンタに依存するデータに変換する。このようにして変換されたデバイス依存のデータをカラープリンタで出力することで、印刷本機での印刷色に近い色校正サンプルを得ることができ、カラープリンタを用いた印刷色のシミュレーションが可能となる。
【００１０】
ところで、このようなカラープリンタによる印刷色のシミュレーションを行う際には、例えば測色データを得るための測色機の精度に起因する測色機誤差やカラープリンタの経時変動等の要因により、印刷本機での印刷結果における印刷色と、カラープリンタでの印刷結果における印刷色との間で、色再現における誤差が生じることがある。このことから、カラープルーフシステムについては、印刷色プロファイルを作成するためのカラーチャートを用いて色再現における誤差を測定し、測定された差分を用いて印刷色プロファイルを再作成することで、色再現における誤差を低減している。
【００１１】
しかしながら、例えば印刷のＹ単色などの比較的明るい色を、色再現の忠実性を重視してプリンタで再現すると、プリンタ側では他のトナーやインクが混じってしまい、濁った色再現となり好まれない場合がある。また、色再現精度は犠牲にしてでも、印刷のＫ単色はプリンタでもＫ単色で再現したほうがよい場合がある。
【００１２】
また、ＣＭＹＫデータからＣＭＹＫデータへの色変換を行うためのカラープロファイル（デバイスリンクプロファイル）を作成した後に、このカラープロファイルにおける特定色の値を強制的に予め定められた値に置換（リセット）することにより、純色（Ｃ，Ｍ，Ｙ，Ｒ，Ｇ，Ｂ）や墨（Ｋ）を保存することも考えられる。尚、ここでの「保存」とは、色変換の前後において色値を不変に保つ場合に限らず、純色や墨が色変換後にもそれぞれ純色や墨になる場合を意味するものとする。
【００１３】
しかしながら、純色や墨を保存した上で色再現における誤差を低減するためカラープロファイルを再作成しようとすると、純色や墨の周辺での誤差が大きくなる。
【００１４】
そこで、本発明の実施の形態における色変換装置は、印刷機（第１の機器の一例）に依存した色データをプリンタ（第２の機器の一例）に依存した色データへ変換するデバイスリンクプロファイルについて、色再現における誤差を印刷機の色再現特性のデータにフィードバックして再作成する処理を行った後で、デバイスリンクプロファイルにおける特定色の値を予め定められた値に置換する処理（リセット処理）を行う。
【００１５】
＜第１の実施形態＞
本発明の第１の実施形態における色変換装置１０は、新たにデバイスリンクプロファイルを作成するときに、色再現における誤差をフィードバックする処理を行った後で、デバイスリンクプロファイルにおける特定色に対するリセット処理を行う。そして、色変換装置１０は、作成されたデバイスリンクプロファイルを用いて色変換を行う。
【００１６】
図１は、第１の実施形態における色変換装置１０の機能構成例を示したブロック図である。図示するように、本実施の形態の色変換装置１０は、印刷機色再現特性取得部１１と、プリンタ色再現特性取得部１２と、オプション指定受付部１３と、デバイスリンクプロファイル作成部１４と、デバイスリンク色変換部１５と、画像出力部１６と、測色部１７と、誤差判定部１８と、色再現特性修正部１９と、特定色リセット部２０と、デバイスリンクプロファイル情報記憶部２１とを備える。
【００１７】
印刷機色再現特性取得部１１は、印刷機への入力色値と入力色値に応じた印刷機の出力色を表すデバイス非依存色空間の色値との関係を表すデータである印刷機の色再現特性を取得する。例えば、入力色値としてはＣＭＹＫデータを、デバイス非依存色空間の色値としてはＬ＊ａ＊ｂ＊データを使用する。本実施の形態では、第１の色再現特性取得手段の一例として、印刷機色再現特性取得部１１を設けている。
【００１８】
プリンタ色再現特性取得部１２は、プリンタへの入力色値と入力色値に応じたプリンタの出力色を表すデバイス非依存色空間の色値との関係を表すデータであるプリンタの色再現特性を取得する。例えば、入力色値としてはＣＭＹＫデータを、デバイス非依存色空間の色値としてはＬ＊ａ＊ｂ＊データを使用する。本実施の形態では、第３の色再現特性取得手段の一例として、プリンタ色再現特性取得部１２を設けている。
【００１９】
オプション指定受付部１３は、デバイスリンクプロファイルを作成する際のオプションの指定を受け付ける。オプションとしては、例えば、特定色の保存、ガマットマッピング方式、紙白補正方法、プロファイルの格子点数、プリンタの総量制限値、などが指定される。本実施の形態では、特に、特定色の保存が指定される場合について説明する。特定色としては、例えば、純色（Ｃ，Ｍ，Ｙ，Ｒ，Ｇ，Ｂ）、墨（Ｋ）、墨１００％、Ｃ，Ｍ，Ｙを含む墨１００％が挙げられる。特定色の保存についての詳細は、後述する。本実施の形態では、保存条件取得手段の一例として、オプション指定受付部１３を設けている。
【００２０】
デバイスリンクプロファイル作成部１４は、印刷機色再現特性取得部１１が取得した印刷機の色再現特性と、プリンタ色再現特性取得部１２が取得したプリンタの色再現特性と、オプション指定受付部１３が受け付けたオプションの情報とに基づいて、印刷機の色再現特性をプリンタでシミュレート（模擬）するためのデバイスリンクプロファイルを作成する。即ち、デバイスリンクプロファイル作成部１４は、印刷機に依存した色データをプリンタに依存した色データへ変換するためのデバイスリンクプロファイルを作成する。デバイスリンクプロファイルの作成は、例えば、特開２００２−１５２５４３号公報の技術を用いるとよい。尚、オプション指定受付部１３が特定色を保存するオプションを受け付けた場合であっても、デバイスリンクプロファイル作成部１４では、作成されたデバイスリンクプロファイルに対して特定色を保存するためのリセット処理を行わない。本実施の形態では、色変換係数群の一例として、デバイスリンクプロファイルを用いており、作成手段の一例として、デバイスリンクプロファイル作成部１４を設けている。
【００２１】
デバイスリンク色変換部１５は、印刷機の色再現特性をプリンタでシミュレートするための色変換を行う。即ち、デバイスリンク色変換部１５は、デバイスリンクプロファイル作成部１４が作成したデバイスリンクプロファイルを用いて、カラー画像の色データを、印刷機に依存した色データからプリンタに依存した色データへ変換する。カラー画像の色データとしては、例えば、Ｃ，Ｍ，Ｙ，Ｋのそれぞれを０〜１００の範囲で変化させて作成した色データを用いるとよい。
【００２２】
画像出力部１６は、デバイスリンク色変換部１５によって色変換されたカラー画像の色データを、プリンタに出力させる。
【００２３】
測色部１７は、プリンタが出力したカラー画像を測色し、測色値としてデバイス非依存色空間の色値を取得する。カラー画像の色データがＣ，Ｍ，Ｙ，Ｋを変化させて作成した色データであるとすると、この色データであるＣＭＹＫデータに対し、デバイス非依存色空間の色値として、測色部１７は例えばＬ＊ａ＊ｂ＊データを取得する。また、測色部１７は、ユーザがカラー画像上で測色器をスライドさせる操作に応じて測色を行うものでもよいし、プリンタ内でカラー画像の出力の検知に応じて測色を行うものでもよい。
【００２４】
本実施の形態では、第１の機器の色再現特性を第２の機器が模擬して得られた模擬色再現特性の一例として、デバイスリンク色変換部１５により色変換されるカラー画像の色データと測色部１７により取得されたデバイス非依存色空間の色値との関係を表すデータを用いている。また、模擬色再現特性取得手段の一例として、デバイスリンク色変換部１５、画像出力部１６及び測色部１７を設けている。更に、第２の色再現特性取得手段の一例として、プリンタ色再現特性取得部１２、デバイスリンクプロファイル作成部１４、デバイスリンク色変換部１５、画像出力部１６及び測色部１７を設けている。
【００２５】
誤差判定部１８は、図２を用いて後述するように、カラー画像の色データに対応する印刷機の色再現特性におけるデバイス非依存色空間の色値（例えばＬ＊ａ＊ｂ＊データ）と、デバイス非依存色空間の色値（例えばＬ＊ａ＊ｂ＊データ）との実測誤差を算出し、デバイスリンクプロファイル作成部１４によるデバイスリンクプロファイルの作成を繰り返すか、又は終了するかを判定する。判定方法としては、例えば、複数のカラー画像の色データについて実測誤差として色差の平均値を算出し、ユーザがこれを見てデバイスリンクプロファイルの再作成を行うか、又は終了するかを判定する。また、色差の平均値が３以上の場合はデバイスリンクプロファイルを再作成し、３未満の場合は作成を終了する、といった方法を用いてもよい。ただし、判定に用いる評価値は、平均値に限らず、最大値、ＲＭＳ（Root Mean Square）、９５パーセンタイル等であっても構わない。本実施の形態では、判定手段の一例として、誤差判定部１８を設けている。
【００２６】
色再現特性修正部１９は、誤差判定部１８がデバイスリンクプロファイルの再作成を行うと判定した場合に、誤差判定部１８が算出した実測誤差に基づき、デバイスリンクプロファイルを再作成するための、印刷機のデバイス非依存色空間の色値（例えばＬ＊ａ＊ｂ＊データ）を修正する。色再現特性修正部１９が行う具体的な修正方法については後述する。
そして、色再現特性修正部１９が修正した印刷機の色再現特性と、プリンタ色再現特性取得部１２が取得したプリンタの色再現特性のデータとに基づいて、デバイスリンクプロファイル作成部１４がデバイスリンクプロファイルを再作成する。このようにして、誤差判定部１８で終了の判定がなされるまで、特定色のリセット処理が行われずにデバイスリンクプロファイルの作成が繰り返される。本実施の形態では、再作成手段の一例として、色再現特性修正部１９及びデバイスリンクプロファイル作成部１４を設けている。
【００２７】
特定色リセット部２０は、オプション指定受付部１３が純色や墨などの特定色を保存するオプションを受け付けた場合において、誤差判定部１８がデバイスリンクプロファイルの作成を終了すると判定したときに、デバイスリンクプロファイルにおける特定色の値を予め定められた値に置換するリセット処理を行う。このリセット処理の詳細についても後述する。本実施の形態では、置換手段の一例として、特定色リセット部２０を設けている。
【００２８】
デバイスリンクプロファイル情報記憶部２１は、作成されたデバイスリンクプロファイルと、デバイスリンクプロファイルの作成に際し使用された印刷機の色再現特性、プリンタの色再現特性、オプション（例えば、どの特定色を保存するかという指定）などの情報である作成情報とを記憶する。デバイスリンクプロファイル作成部１４がデバイスリンクプロファイルを再作成した場合には、デバイスリンクプロファイル情報記憶部２１は、作成された全てのデバイスリンクプロファイルと、それぞれのデバイスリンクプロファイルについての作成情報とを記憶する。また、特定色リセット部２０が特定色のリセット処理を行った場合には、リセット処理の前後のデバイスリンクプロファイルを記憶する。本実施の形態では、記憶手段の一例として、デバイスリンクプロファイル情報記憶部２１を設けている。
【００２９】
尚、以上の各機能は、ハードウェアのみによっても実現可能であるが、ハードウェアとソフトウェアの組み合わせによっても実現可能である。後者の場合、印刷機色再現特性取得部１１から特定色リセット部２０までの各機能は、色変換装置の図示しないＣＰＵが、例えば、図示しないメモリに記憶されたプログラムを読み込んで実行することにより実現される。また、デバイスリンクプロファイル情報記憶部２１は、例えば図示しない磁気ディスク装置によって実現される。
【００３０】
また、本実施の形態では、デバイスリンクプロファイルを用いて色変換されたカラー画像のデータをプリンタで出力し、その出力されたカラー画像を測色してデバイス非依存の色データを取得している。しかしながら、印刷機の色再現特性をプリンタでシミュレートするための方法はこれに限らない。例えば、デバイスリンクプロファイルを用いて色変換されたカラー画像のデータを、プリンタの色再現特性を表すモデルを用いてデバイス非依存の色データに更に色変換することにより、測色を行わずにシミュレートする方法をとってもよい。
【００３１】
以下では、まず、色再現特性修正部１９が印刷機の色再現特性のデータを修正する方法について説明する。
図２は、色再現特性修正部１９が印刷機の色再現特性のデータを修正する方法について説明するための図である。図２（Ａ）は、印刷機の色再現特性のデータの修正に際して用いられる各データの関係を示しており、図２（Ｂ）は、修正された印刷機の色再現特性のデータを得るための計算式を示している。ここでは、デバイスリンクプロファイルの作成に利用する印刷機のＬ＊ａ＊ｂ＊データに対し、（ｉ＋１）回目の修正を行うときの処理について説明する（ｉ＝０，１，２，…）。以下では、機器に依存する色値をＣＭＹＫデータとして、デバイス非依存色空間の色値をＬ＊ａ＊ｂ＊データとして説明する。
【００３２】
図２（Ａ）に示すように、まず、印刷機に依存する色値である印刷ＣＭＹＫデータ５１を色変換することにより、印刷Ｌ＊ａ＊ｂ＊データ５２が得られる。この印刷Ｌ＊ａ＊ｂ＊データ５２としては、印刷機色再現特性取得部１１により取得される色再現特性が測色値そのものを含んでいればその測色値を採用してもよいし、色再現特性がＩＣＣ（International Color Consortium）プロファイルのようなものであればそれを利用して得られた測色値相当の値を採用してもよい。
【００３３】
また、印刷ＣＭＹＫデータ５１は、デバイスリンク色変換部１５により、デバイスリンクプロファイルを用いてプリンタに依存する色値であるプリンタＣＭＹＫデータ５３に変換される。そして、プリンタＣＭＹＫデータ５３を色変換することにより、プリンタＬ＊ａ＊ｂ＊データ５４が得られる。本実施の形態では、このプリンタＬ＊ａ＊ｂ＊データ５４は、画像出力部１６によりプリンタＣＭＹＫデータ５３をプリンタに出力させ、出力されたカラー画像を測色部１７が測色することにより取得される。
そして、誤差判定部１８は、印刷Ｌ＊ａ＊ｂ＊データ５２とプリンタＬ＊ａ＊ｂ＊データ５４との実測誤差である△Ｌ＊ａ＊ｂ＊５６（即ち、Ｌ＊，ａ＊，ｂ＊の各成分の誤差）を算出する。
【００３４】
色再現特性修正部１９は、誤差判定部１８がデバイスリンクプロファイルの再作成を行うと判定した場合に、この△Ｌ＊ａ＊ｂ＊５６を用いて、デバイスリンクプロファイル再作成用の印刷Ｌ＊ａ＊ｂ＊データを修正する。具体的には、ｉ回目の修正前のＬ＊ａ＊ｂ＊データ５５から適当な重みαと実測誤差の△Ｌ＊ａ＊ｂ＊５６とを掛け合わせたデータを差し引くことにより、（ｉ＋１）回目の修正後のＬ＊ａ＊ｂ＊データ５７が得られる。
【００３５】
図２（Ｂ）を参照し、デバイスリンクプロファイルの再作成用に修正された印刷機のＬ＊ａ＊ｂ＊データである修正後のＬ＊ａ＊ｂ＊データ５７を得るための計算式について、更に説明する。ここでは、（Ｌ＊，ａ＊，ｂ＊）の３次元ベクトルをＬａｂと表記する。そして、印刷機色再現特性取得部１１が取得した印刷機の色再現特性におけるＬ＊ａ＊ｂ＊データである印刷Ｌ＊ａ＊ｂ＊データ５２をＬａｂＴａｒｇｅｔと表記する。また、ｉ回目の修正の際に得られたＬ＊ａ＊ｂ＊データ（（ｉ＋１）回目の修正前のＬ＊ａ＊ｂ＊データ５５）をＬａｂｉと表記し、ｉ回目の修正の際に測色部１７がカラー画像を測色することで得られたＬ＊ａ＊ｂ＊データをＬａｂｉ回目測色と表記する。すると、色再現特性修正部１９が（ｉ＋１）回目の修正を行った後のＬ＊ａ＊ｂ＊データ（（ｉ＋１）回目の修正後のＬ＊ａ＊ｂ＊データ５７）であるＬａｂｉ＋１は、図２（Ｂ）に示す式により与えられる。
【００３６】
尚、Ｌ＊ａ＊ｂ＊データを修正するための計算式は図２（Ｂ）に示したものに限らない。色領域ごとに実測誤差の△Ｌ＊ａ＊ｂ＊５６に異なる重み付けを行って、Ｌ＊ａ＊ｂ＊データを修正する計算式を用いても構わない。また、プリンタの色域外の領域は実測誤差が大きいため、Ｌ＊ａ＊ｂ＊データを修正しないようにすることが好ましい。
【００３７】
次に、特定色リセット部２０が行う特定色を保存するためのリセット処理について説明する。ここでは、デバイスリンクプロファイルにおいて、印刷機のＣＭＹＫデータである（Ｃ，Ｍ，Ｙ，Ｋ）＝（Ｃ１，Ｍ１，Ｙ１，Ｋ１）とプリンタのＣＭＹＫデータである（Ｃ，Ｍ，Ｙ，Ｋ）＝（Ｃ２，Ｍ２，Ｙ２，Ｋ２）とが対応付けられているとする。
【００３８】
第１の例として、純色（Ｃ，Ｍ，Ｙ，Ｒ，Ｇ，Ｂ）を保存する場合を説明する。例えばＹを保存する場合は、Ｙ単色の印刷機の色データ（Ｃ，Ｍ，Ｙ，Ｋ）＝（０，０，Ｙ１，０）に対応するプリンタの色データについて、強制的にＣ２＝Ｍ２＝Ｋ２＝０と置換し（Ｃ，Ｍ，Ｙ，Ｋ）＝（０，０，Ｙ２，０）とする。ここで、Ｙ１とＹ２の値は異なっていてもよいが、Ｙを保存する場合は、印刷機のＹ単色がプリンタでもＹ単色になるようにする。即ち、特定色リセット部２０は、印刷機に依存した色値が０であるｎ色（この例ではＣ，Ｍ，Ｋの３色）について、プリンタに依存する色値を強制的に０に置換する。
【００３９】
第２の例として、墨（Ｋ）を保存する場合を説明する。この場合も第１の例と同様に、印刷機におけるＫ単色がプリンタでもＫ単色になるように、印刷機の色データ（Ｃ，Ｍ，Ｙ，Ｋ）＝（０，０，０，Ｋ１）に対応するプリンタの色データについて、強制的にＣ２＝Ｍ２＝Ｙ２＝０と置換し（Ｃ，Ｍ，Ｙ，Ｋ）＝（０，０，０，Ｋ２）とする。また、印刷機の色データがＫ１００％で（Ｃ，Ｍ，Ｙ，Ｋ）＝（０，０，０，１００）の場合には、プリンタの色データでもＫ１００％になるように、プリンタの色データを（Ｃ，Ｍ，Ｙ，Ｋ）＝（０，０，０，１００）とする。
【００４０】
第３の例として、Ｃ、Ｍ、Ｙを含む墨（Ｋ）１００％を保存する場合を説明する。この場合は、プリンタでもＣ、Ｍ、Ｙを含む墨（Ｋ）１００％になるように、印刷機の色データ（Ｃ，Ｍ，Ｙ，Ｋ）＝（Ｃ１，Ｍ１，Ｙ１，１００）に対応するプリンタの色データについて、強制的にＫ２＝１００と置換し（Ｃ，Ｍ，Ｙ，Ｋ）＝（Ｃ２，Ｍ２，Ｙ２，１００）とする。即ち、特定色リセット部２０は、印刷機に依存した色値においてＣ，Ｍ，ＹにかかわらずＫが１００である色データについて、対応するプリンタの色データにおけるＫを強制的に１００に置換する。
【００４１】
尚、Ｃ、Ｍ、Ｙを含む墨（Ｋ）１００％の色データについては、プリンタの色データにおいて単にＫを１００に置換するだけでは色再現の精度が損なわれる場合がある。そこで、置換前の（Ｃ２，Ｍ２，Ｙ２，Ｋ２）に対応するＬ＊ａ＊ｂ＊データとＫ２＝１００の値から、例えば特開平１０−２６２１５７号公報に記載されている回帰モデルを利用してＣ，Ｍ，Ｙの値を求め、Ｃ２，Ｍ２，Ｙ２の値も併せて置換するようにするとよい。
【００４２】
次に、本実施の形態における色変換装置１０の動作について説明する。
図３は、第１の実施形態における色変換装置１０の動作例を示したフローチャートである。図示するように、色変換装置１０では、まず、印刷機色再現特性取得部１１が印刷機色再現特性を取得し、プリンタ色再現特性取得部１２がプリンタ色再現特性を取得する（ステップ１０１）。また、オプション指定受付部１３が特定色の保存等に関するオプションの指定を受け付ける（ステップ１０２）。
【００４３】
これにより、デバイスリンクプロファイル作成部１４は、印刷機色再現特性取得部１１が取得した印刷機の色再現特性と、プリンタ色再現特性取得部１２が取得したプリンタの色再現特性とに基づいて、デバイスリンクプロファイルを作成する（ステップ１０３）。その後、デバイスリンク色変換部１５は、このデバイスリンクプロファイルを用いて、カラー画像の色データを、印刷機に依存した色データからプリンタに依存した色データへ変換する（ステップ１０４）。そして、画像出力部１６が、プリンタに依存した色データに変換されたカラー画像の色データをプリンタで出力する（ステップ１０５）。測色部１７は、この出力されたカラー画像の色データを測色し、測色値を取得する（ステップ１０６）。
【００４４】
すると、誤差判定部１８は、印刷機の色再現特性から得られるデバイス非依存色空間の色値と、ステップ１０６で得られた測色値とを比較し、その誤差を算出する（ステップ１０７）。そして、誤差判定部１８は、ユーザがステップ１０７で算出した誤差を見てデバイスリンクプロファイルの再作成を行うか、又は終了するかを判定する（ステップ１０８）。その結果、デバイスリンクプロファイルの再作成を行うと判定されれば、デバイスリンクプロファイル情報記憶部２１は、作成されたデバイスリンクプロファイルとそのデバイスリンクプロファイルの作成情報とを記憶する（ステップ１０９）。続いて色再現特性修正部１９は、デバイスリンクプロファイル再作成用の印刷機のデバイス非依存色空間の色値を修正し（ステップ１１０）、ステップ１０３へ戻ってデバイスリンクプロファイルの再作成を行う。
【００４５】
一方、ステップ１０８においてデバイスリンクプロファイルの再作成を行わないと判定されれば、デバイスリンクプロファイルを再作成する繰り返し処理を終了する。次に、特定色リセット部２０は、オプション指定受付部１３がステップ１０２において特定色の保存に関するオプションの指定を受け付けているかどうかを判定する（ステップ１１１）。特定色の保存に関するオプションの指定を受け付けていれば、特定色リセット部２０は、デバイスリンクプロファイル作成部１４により作成されたデバイスリンクプロファイルにおいて、オプションにより指定されている特定色のリセット処理を行う（ステップ１１２）。一方、特定色の保存に関するオプションの指定を受け付けていなければ、特定色リセット部２０はリセット処理を行わない。尚、デバイスリンクプロファイルの再作成を行わないと判定された後に、再度、特定色の保存に関するオプション指定を受け付けて、特定色のリセット処理を行うか、否かを判定しても構わない。
【００４６】
その後、デバイスリンクプロファイル情報記憶部２１は、作成されたデバイスリンクプロファイルとそのデバイスリンクプロファイルの作成情報とを記憶する（ステップ１１３）。以上により、色変換装置１０は動作を終了する。
【００４７】
＜第２の実施形態＞
以下では、本発明の第２の実施形態における色変換装置１０について説明する。ただし、第１の実施形態と同様の機能については同一の符号を用いることにして、それらの詳細な説明は省略する。
本実施の形態における色変換装置１０は、作成済みのデバイスリンクプロファイルに基づき、色再現における誤差をフィードバックし、デバイスリンクプロファイルを再作成する処理を行った後で、特定色に対するリセット処理を行う。そして、色変換装置１０は、作成されたデバイスリンクプロファイルを用いて色変換を行う。
【００４８】
図４は、第２の実施形態における色変換装置１０の機能構成例を示したブロック図である。図示するように、本実施の形態の色変換装置１０は、デバイスリンクプロファイル情報取得部２２と、特定色復元部２３と、デバイスリンクプロファイル作成部１４と、デバイスリンク色変換部１５と、画像出力部１６と、測色部１７と、誤差判定部１８と、色再現特性修正部１９と、特定色リセット部２０と、デバイスリンクプロファイル情報記憶部２１とを備える。
【００４９】
デバイスリンクプロファイル情報取得部２２は、例えば第１の実施形態の色変換装置１０により作成されデバイスリンクプロファイル情報記憶部２１に保存された、作成済みのデバイスリンクプロファイルと、そのデバイスリンクプロファイルの作成情報とを取得する。ここでは、特に、特定色の値に対するリセット処理がなされたデバイスリンクプロファイルを取得する場合を考える。その際のデバイスリンクプロファイルの作成情報は、特定色を保存するかという指定に関する情報を含むものとする。本実施の形態では、保存条件取得手段及び係数群情報取得手段の一例として、デバイスリンクプロファイル情報取得部２２を設けている。
【００５０】
特定色復元部２３は、デバイスリンクプロファイル情報取得部２２により取得されたデバイスリンクプロファイルの作成情報が特定色を保存する指定を含む場合に、取得されたデバイスリンクプロファイルにおいてリセットされている特定色の値をリセット前の値に復元する。本実施の形態では、復元手段の一例として、特定色復元部２３を設けている。この復元処理の詳細については後述する。
【００５１】
デバイスリンク色変換部１５は、特定色復元部２３により特定色の値が復元されたデバイスリンクプロファイルを用いて、カラー画像の色データを、印刷機に依存した色データからプリンタに依存した色データへ変換する。
【００５２】
この他の機能部については、第１の実施形態と同様である。即ち、誤差判定部１８で終了の判定がなされるまで、特定色をリセットしない状態でデバイスリンクプロファイルの作成が繰り返される。特定色リセット部２０は、誤差判定部１８でデバイスリンクプロファイルの作成が終了と判定され、デバイスリンクプロファイルの作成情報で特定色の保存が指定されている場合に、デバイスリンクプロファイルの特定色の値を強制的に予め定められた値に置換する。
【００５３】
尚、以上の各機能は、ハードウェアのみによっても実現可能であるが、ハードウェアとソフトウェアの組み合わせによっても実現可能である。後者の場合、デバイスリンクプロファイル情報取得部２２、特定色復元部２３、及びデバイスリンクプロファイル作成部１４から特定色リセット部２０までの各機能は、色変換装置の図示しないＣＰＵが、例えば、図示しないメモリに記憶されたプログラムを読み込んで実行することにより実現される。また、デバイスリンクプロファイル情報記憶部２１は、例えば図示しない磁気ディスク装置によって実現される。
【００５４】
ここで、特定色復元部２３が行う復元処理について説明する。
まず、デバイスリンクプロファイル情報取得部２２が、例えばデバイスリンクプロファイル情報記憶部２１から、特定色の値をリセットする前のデバイスリンクプロファイルも併せて取得した場合は、特定色復元部２３は、それを用いて復元対象のデバイスリンクプロファイルにおける特定色の値を復元する。ここで、併せて取得したデバイスリンクプロファイルが復元すべき特定色の値を含んでいないときであっても、そのデバイスリンクプロファイルにおけるその特定色以外の色値から外挿して、復元すべき特定色の値を求めるという方法がある。
【００５５】
また、デバイスリンクプロファイル情報取得部２２が特定色の値をリセットする前のデバイスリンクプロファイルを併せて取得していない場合であっても、デバイスリンクプロファイルの作成情報として、印刷機の色再現特性、プリンタの色再現特性、及び特定色を保存するオプションの情報を取得していれば、特定色復元部２３は、それらの情報を基にデバイスリンクプロファイルを作成することにより、特定色の値を復元する。
【００５６】
次に、本実施の形態における色変換装置１０の動作について説明する。
図５は、第２の実施形態における色変換装置１０の動作例を示したフローチャートである。図示するように、色変換装置１０では、まず、デバイスリンクプロファイル情報取得部２２が、既に作成されたデバイスリンクプロファイルと、そのデバイスリンクプロファイルについての作成情報とを取得する（ステップ２０１）。続いて、特定色復元部２３は、ステップ２０１において取得されたデバイスリンクプロファイルの作成情報が、特定色を保存するオプション指定を含むかどうかを判定する（ステップ２０２）。特定色を保存するオプション指定を含むならば、特定色復元部２３は、取得されたデバイスリンクプロファイルにおいてリセットされている特定色の値を、上述した方法によりリセット前の値に復元する（ステップ２０３）。一方、特定色を保存するオプション指定を含まないならば、特定色復元部２３はこの復元処理を行わない。
【００５７】
そして、デバイスリンク色変換部１５は、特定色の値がリセットされていない状態のデバイスリンクプロファイルを用いて、カラー画像の色データを、印刷機に依存した色データからプリンタに依存した色データへ変換する（ステップ２０４）。以下、ステップ２０５以降の処理は、図３のステップ１０５以降の処理と同様である。ステップ２０８において、誤差判定部１８がデバイスリンクプロファイルの再作成を行うと判定されれば、デバイスリンクプロファイル情報記憶部２１は、作成されたデバイスリンクプロファイルとそのデバイスリンクプロファイルの作成情報とを記憶する（ステップ２０９）。続いて色再現特性修正部１９は、デバイスリンクプロファイル再作成用の印刷機のデバイス非依存色空間の色値を修正する（ステップ２１０）。そして、デバイスリンクプロファイル作成部１４は、修正された印刷機の色再現特性と、ステップ２０１において取得された作成情報に含まれるプリンタの色再現特性とに基づいて、デバイスリンクプロファイルを作成する（ステップ２１１）。そして処理はステップ２０４に戻る。
【００５８】
一方、ステップ２０８においてデバイスリンクプロファイルの再作成を行わないと判定されれば、デバイスリンクプロファイルを再作成する繰り返し処理を終了し、ステップ２１２以降で、図３のステップ１１１以降の処理と同様に、特定色のリセット処理が行われる。最後にデバイスリンクプロファイル情報記憶部２１は、作成されたデバイスリンクプロファイルとそのデバイスリンクプロファイルの作成情報とを記憶し（ステップ２１４）、色変換装置１０は動作を終了する。
以上により、本実施の形態の説明を終了する。
【００５９】
ところで、本実施の形態では、色変換を行うハードウェアを特に限定して述べなかったが、例えば、パーソナルコンピュータ等のコンピュータにおいて実現するようにしてもよいし、画像形成装置の画像処理部において実現するようにしてもよい。以下では、そのようなコンピュータ９０のハードウェア構成について説明する。
【００６０】
図６は、コンピュータ９０のハードウェア構成を示した図である。
図示するように、コンピュータ９０は、演算手段であるＣＰＵ（Central Processing Unit）９１と、記憶手段であるメインメモリ９２及び磁気ディスク装置（ＨＤＤ：Hard Disk Drive）９３とを備える。ここで、ＣＰＵ９１は、ＯＳ（Operating System）やアプリケーション等の各種ソフトウェアを実行し、上述した各機能を実現する。また、メインメモリ９２は、各種ソフトウェアやその実行に用いるデータ等を記憶する記憶領域であり、磁気ディスク装置９３は、各種ソフトウェアに対する入力データや各種ソフトウェアからの出力データ等を記憶する記憶領域である。
更に、コンピュータ９０は、外部との通信を行うための通信インタフェース９４と、ビデオメモリやディスプレイ等からなる表示機構９５と、キーボードやマウス等の入力デバイス９６とを備える。
【００６１】
尚、本実施の形態を実現するプログラムは、通信手段により提供することはもちろん、ＣＤ−ＲＯＭ等の記録媒体に格納して提供するようにしてもよい。
【符号の説明】
【００６２】
１０…色変換装置、１１…印刷機色再現特性取得部、１２…プリンタ色再現特性取得部、１３…オプション指定受付部、１４…デバイスリンクプロファイル作成部、１５…デバイスリンク色変換部、１６…画像出力部、１７…測色部、１８…誤差判定部、１９…色再現特性修正部、２０…特定色リセット部、２１…デバイスリンクプロファイル情報記憶部、２２…デバイスリンクプロファイル情報取得部、２３…特定色復元部
【図１】
0005672810.tif 000002
【図２】
0005672810.tif 000003
【図３】
0005672810.tif 000004
【図４】
0005672810.tif 000005
【図５】
0005672810.tif 000006
【図６】
0005672810.tif 000007